(57)【要約】　　　（修正有）【課題】化石燃料・ゴミ・バイオマス等の燃料や原子力等によって発電し、水素と酸素を製造し、熱効率が高く、発生する炭酸ガスをほぼ１００％回収、処理することができるエネルギーシステムを提供する。【解決手段】発電プラント１のタービン排気や抽気を水・アンモニア混合媒体電力・冷熱プラント２に導いて発電や冷媒製造を行い、電力を水電解プラント３に導いて水素と酸素を製造し、酸素は液化プラント４に導いて液化し、液体酸素貯蔵施設６に貯蔵し、水素は多孔性炭素材料の水素吸蔵材を設置した水素貯蔵施設５に貯蔵する。水素は専用輸送船で輸送し、水素吸蔵合金搭載自動車に供給し、液体酸素は火力発電プラント４３に供給して酸素燃焼に用い、回収した炭酸ガスは液化して二酸化炭素処理部４６において深海底にハイドレート化して放出する。【選択図】　図１
2004041967.tif 000002
【特許請求の範囲】
【請求項１】
水素・酸素供給システムと水素・酸素消費システムと二酸化炭素処理部とを備え、前記水素・酸素供給システムは、酸素および炭酸ガス雰囲気中で有機物系の燃料を燃焼させて水蒸気、炭酸ガスおよび電力を発生する発電プラントと、水より沸点の低い媒体を作動媒体とし前記発電プラントから供給された水蒸気の熱を用いて電力と冷媒を生成する低沸点媒体電力・冷熱プラントと、この低沸点媒体電力・冷熱プラントおよび前記発電プラントから電力を供給されて水を電気分解する水電解プラントと、前記低沸点媒体電力・冷熱プラントから冷媒を供給されて前記水電解プラントにおいて生成された水素と酸素および前記発電プラントから供給された炭酸ガスを冷却し液化する液化プラントと、前記冷却された水素を水素吸蔵材に吸着させて貯蔵する水素貯蔵施設と、前記液化された酸素を貯蔵する液体酸素貯蔵施設と、前記液化された炭酸ガスを貯蔵する液体炭酸ガス貯蔵施設とを備え、前記水素・酸素消費システムは、前記水素貯蔵施設から水素を吸蔵した水素吸蔵材を供給され貯蔵し消費者に供給する消費地水素貯蔵施設と、前記液体酸素貯蔵施設から液体酸素を供給されて酸素および炭酸ガス雰囲気中で有機物系の燃料を燃焼させて発電を行う火力発電プラントとを備え、前記二酸化炭素処理部は、前記火力発電プラントおよび前記液体炭酸ガス貯蔵施設から二酸化炭素を供給されて深海にハイドレート化して放出する処理施設を備えていることを特徴とするエネルギーシステム。
【請求項２】
水素・酸素供給システムと水素・酸素消費システムと二酸化炭素処理部とを備え、前記水素・酸素供給システムは、原子力、地熱、温泉水、太陽熱等の酸素燃焼を要しない加熱源によって水蒸気および電力を発生する発電プラントと、水より沸点の低い媒体を作動媒体とし前記発電プラントから供給された水蒸気の熱を用いて電力と冷媒を生成する低沸点媒体電力・冷熱プラントと、この低沸点媒体電力・冷熱プラントおよび前記発電プラントから電力を供給されて水を電気分解する水電解プラントと、前記低沸点媒体電力・冷熱プラントから冷媒を供給されて前記水電解プラントにおいて生成された水素と酸素を冷却し液化する液化プラントと、前記冷却された水素を水素吸蔵材に吸着させて貯蔵する水素貯蔵施設と、前記液化された酸素を貯蔵する液体酸素貯蔵施設とを備え、前記水素・酸素消費システムは、前記水素貯蔵施設から水素を吸蔵した水素吸蔵材を供給され貯蔵し消費者に供給する消費地水素貯蔵施設と、前記液体酸素貯蔵施設から液体酸素を供給されて酸素および炭酸ガス雰囲気中で有機物系の燃料を燃焼させて発電を行う火力発電プラントとを備え、前記二酸化炭素処理部は、前記火力発電プラントから二酸化炭素を供給されて深海にハイドレート化して放出する処理施設を備えていることを特徴とするエネルギーシステム。
【請求項３】
前記発電プラントと前記低沸点媒体電力・冷熱プラントは機能が一体化されていることを特徴とする請求項１または２に記載のエネルギーシステム。
【請求項４】
前記低沸点媒体電力・冷熱プラントの冷却に海洋深層水を用いることを特徴とする請求項１または２または３に記載のエネルギーシステム。
【請求項５】
前記低沸点媒体電力・冷熱プラントの冷却に用いて加温された海洋深層水を養殖施設に導き、前記養殖施設で使用した後の海洋深層水を海域肥沃化に用いることを特徴とする請求項４に記載のエネルギーシステム。
【請求項６】
前記水素・酸素供給システムは、前記低沸点媒体電力・冷熱プラントで製造した冷媒で海水を凍結させ解凍して得られる淡水を前記水電解プラントに供給する凍結分離プラントと、この凍結分離プラントから濃縮海水を供給されて食塩とミネラル成分を分離するミネラル分離プラントとを備えていることを特徴とする請求項１または２または３に記載のエネルギーシステム。
【請求項７】
前記低沸点媒体電力・冷熱プラントは、水とアンモニアの混合媒体を作動媒体とすることを特徴とする請求項１または２または３に記載のエネルギーシステム。
【請求項８】
前記水素吸蔵材は、水素分子を水素原子に分離させる機能を有する金属もしくは合金の被膜を表面に有する多孔性炭素質材料からなることを特徴とする請求項１または２または３に記載のエネルギーシステム。
【発明の詳細な説明】
【０００１】
【発明の属する技術分野】
本発明は、離島に設置した発電プラントで生成した電気で水の電気分解を行って水素と酸素を製造し、消費地に船で輸送して水素自動車に水素を供給し、また前記酸素を火力発電プラントに供給して発生する炭酸ガスを回収して離島の周辺深海底に貯蔵するエネルギーシステムに関する。
【０００２】
【従来の技術】
現在、人類は中国や東南アジア地域の急速な経済発展に伴うエネルギー需要の急増が現実化する下で地球温暖化や酸性雨等の地球規模的な環境問題に直面している。増大するエネルギー需要を賄うのに、資源の偏在が無く豊富に存在する石炭資源の利用は必然的な状況にあり、エネルギーの利用形態としては電気と熱があるが、所得水準が向上するにつれて使い易い電気の需要が増大する傾向がある。
【０００３】
石炭発電プラント、天然ガス発電プラントや石油火力発電プラントでは炭酸ガスの排出が問題である。この排出される炭酸ガスを容易に１００％回収する方法として化石燃料を炭酸ガス雰囲気中酸素燃焼する方法がある。電力や熱の昼間の需要に対して夜間にはその６０％程度に減少する変動があるため、夜間の発電プラントの稼動率を向上させる方策が検討されている。
【０００４】
自動車の動力源として、現在はガソリン、軽油を燃料とするレシプロエンジンが主流となっているが、自動車が排出する炭酸ガスを削減することが重要な課題になっている。そのため大気汚染対策として水素燃料エンジンの開発が行われている。水素の貯蔵と輸送には気体より液体の方が効率的であるが、−２５２．６℃の液化温度の液体水素を入れる容器の経済性が問題になるため水素吸蔵合金に貯蔵する方法が検討されている。
【０００５】
水深２００ｍの海洋深層水は、７℃程度の低温であり、海表面水との温度差で発電が可能であるが、低温側と高温側に大型の熱交換器が必要であるために単独では建設費が高くなるため既設発電プラントのボトミングに付設して建設費を削減する検討がされている。
【０００６】
海洋深層水の取水適地として琉球諸島や、伊豆・小笠原諸島があり、加熱された清浄な海洋深層水で養殖を行うことにより、今後中国などで増大する動物性たんぱく質に対する需要に対処することができるようになるが、これらの諸島には大きな電力需要が無いため発電設備を設置する需要がこれまでは無かった。しかしながら、今後水素自動車への水素供給が重要になり、電気分解で得られる水素を東京圏、大阪圏、中国の上海等に輸送して販売する道が開ける情勢になりつつある。また、同時に得られる酸素は大都市近郊に設置された火力発電所で炭酸ガス雰囲気中酸素燃焼に利用し、炭酸ガスを１００％回収するのに利用することができる。この回収された炭酸ガスは液体酸素輸送船の帰りの荷として離島に持ち帰り離島周辺の深海底にハイドレート化して貯蔵することができる。
【０００７】
【発明が解決しようとする課題】
今後中国や東南アジアの経済発展に伴い膨大な電気エネルギーや自動車駆動エネルギーの需要が発生するが、炭酸ガスの排出による地球温暖化を防止しながらこれに対処するには、原子力エネルギーの利用、１００％炭酸ガスを回収する化石燃料の利用による発電と水の電気分解によって水素と酸素の製造を行い、回収した炭酸ガスを貯蔵する必要がある。また、東南アジアでの経済発展に伴う動物性蛋白質に対する需要に対応するために大規模な魚の養殖を行う必要がある。
【０００８】
特開２０００−２７９０号公報に記載された発明では、原子力発電プラントのボトミングサイクルに水・アンモニア混合媒体発電・冷媒生成プラントを付設し、ピーク電力需要対応として化石燃料発電プラントを付設して夜間電力で水の電気分解を行い、化石燃料発電プラントの燃焼を炭酸ガス雰囲気中酸素燃焼にして１００％炭酸ガス回収を行い、電気分解で得られる水素を液化して利用する方法を採っているが、液化のために多くのエネルギーが必要なこと、２０Ｋの液体水素を入れておく容器の問題がある。
【０００９】
大規模な養殖を行うには海洋深層水の清浄性を利用するのが有利であり、琉球列島の島々や、伊豆・小笠原諸島の島々が取水には最適であり、大規模養殖の可能性があるが、大量の電気の需要はないため、発電された電気で大消費地向けの水素を製造することと排熱で海洋深層水を加熱して養殖を行う最適システムを構築する必要がある。
【００１０】
本発明はかかる従来の事情に対処してなされたものであり、有機物系の燃料や原子力等によって発電し、水素と酸素を製造し貯蔵し供給し、熱効率が高く、発生する炭酸ガスをほぼ１００％回収し、回収した炭酸ガスを環境に影響しない方法で処理することができるエネルギーシステムを提供することを目的とする。
【００１１】
【発明が課題を解決するための手段】
上記目的を達成するため、請求項１の発明は、水素・酸素供給システムと水素・酸素消費システムと二酸化炭素処理部とを備え、前記水素・酸素供給システムは、酸素および炭酸ガス雰囲気中で有機物系の燃料を燃焼させて水蒸気、炭酸ガスおよび電力を発生する発電プラントと、水より沸点の低い媒体を作動媒体とし前記発電プラントから供給された水蒸気の熱を用いて電力と冷媒を生成する低沸点媒体電力・冷熱プラントと、この低沸点媒体電力・冷熱プラントおよび前記発電プラントから電力を供給されて水を電気分解する水電解プラントと、前記低沸点媒体電力・冷熱プラントから冷媒を供給されて前記水電解プラントにおいて生成された水素と酸素および前記発電プラントから供給された炭酸ガスを冷却し液化する液化プラントと、前記冷却された水素を水素吸蔵材に吸着させて貯蔵する水素貯蔵施設と、前記液化された酸素を貯蔵する液体酸素貯蔵施設と、前記液化された炭酸ガスを貯蔵する液体炭酸ガス貯蔵施設とを備え、前記水素・酸素消費システムは、前記水素貯蔵施設から水素を吸蔵した水素吸蔵材を供給され貯蔵し消費者に供給する消費地水素貯蔵施設と、前記液体酸素貯蔵施設から液体酸素を供給されて酸素および炭酸ガス雰囲気中で有機物系の燃料を燃焼させて発電を行う火力発電プラントとを備え、前記二酸化炭素処理部は、前記火力発電プラントおよび前記液体炭酸ガス貯蔵施設から二酸化炭素を供給されて深海にハイドレート化して放出する処理施設を備えている構成とする。
【００１２】
請求項２の発明は、水素・酸素供給システムと水素・酸素消費システムと二酸化炭素処理部とを備え、前記水素・酸素供給システムは、原子力、地熱、温泉水、太陽熱等の酸素燃焼を要しない加熱源によって水蒸気および電力を発生する発電プラントと、水より沸点の低い媒体を作動媒体とし前記発電プラントから供給された水蒸気の熱を用いて電力と冷媒を生成する低沸点媒体電力・冷熱プラントと、この低沸点媒体電力・冷熱プラントおよび前記発電プラントから電力を供給されて水を電気分解する水電解プラントと、前記低沸点媒体電力・冷熱プラントから冷媒を供給されて前記水電解プラントにおいて生成された水素と酸素を冷却し液化する液化プラントと、前記冷却された水素を水素吸蔵材に吸着させて貯蔵する水素貯蔵施設と、前記液化された酸素を貯蔵する液体酸素貯蔵施設とを備え、前記水素・酸素消費システムは、前記水素貯蔵施設から水素を吸蔵した水素吸蔵材を供給され貯蔵し消費者に供給する消費地水素貯蔵施設と、前記液体酸素貯蔵施設から液体酸素を供給されて酸素および炭酸ガス雰囲気中で有機物系の燃料を燃焼させて発電を行う火力発電プラントとを備え、前記二酸化炭素処理部は、前記火力発電プラントから二酸化炭素を供給されて深海にハイドレート化して放出する処理施設を備えている構成とする。
【００１３】
【発明の実施の形態】
本発明の第１の実施の形態のエネルギーシステムを図１を参照して説明する。すなわち本実施形態のエネルギーシステムは、発電プラント１と低沸点媒体電力・冷熱プラント２と水電解プラント３と液化プラント４と水素貯蔵施設５と液体酸素貯蔵施設６と液体炭酸ガス貯蔵施設７と養殖施設９を備え離島のような人口の密集していない場所に設けられた水素・酸素供給システム４０と、水素貯蔵施設８と火力発電プラント４３を備え消費地に設けられた水素・酸素消費システム４１と、この水素・酸素消費システム４１および前記水素・酸素供給システム４０において発生した二酸化炭素を深海に放出する二酸化炭素処理部４６とからなる。
【００１４】
このような構成によって、水素・酸素供給システム４０に設置され電気と水蒸気と炭酸ガスを発生する発電プラント１より水蒸気１０を低沸点媒体電力・冷熱プラント２に輸送して冷媒生成と発電を行い、冷媒１１を液化プラント４へ送り、電気１４を水電解プラント３へ輸送する。液化プラント４で液化した酸素を液体酸素貯蔵施設６に貯蔵する。発電プラント１で発生した炭酸ガスも液化して液体炭酸ガス貯蔵施設７に貯蔵する。水電解プラント３で製造した水素を水素貯蔵施設５に貯蔵し、また、船２７で水素・酸素消費システム４１の水素貯蔵施設８に輸送して利用する。
【００１５】
さらに、液体酸素貯蔵施設６に貯蔵された液体酸素を船４２で水素・酸素で消費システム４１の火力発電プラント４３に輸送し、炭酸ガス雰囲気中酸素燃焼に使用する。この燃焼から回収された炭酸ガスを液化して船４４で水素・酸素供給システム４０に持ち帰り、二酸化炭素処理部４６に送って離島周辺の深海に液体炭酸ガス４５をハイドレート化して放流する。さらに、低沸点媒体電力・冷熱プラント２の冷却に用いて加温された海洋深層水２５を養殖施設９に導いて利用し、利用後の海洋深層水２６を海域肥沃化のために沿岸海域４７に放流する。
【００１６】
さらに詳しく説明すると以下のとおりである。すなわち、水素・酸素供給システム４０に設置された発電プラント１は、燃焼器、ガスタービン、ボイラ、水蒸気タービン、発電機、循環ポンプ等で構成され、燃焼器には化石燃料、ゴミ、バイオマス等の有機物系の燃料１２のガス化されたものと、加圧・加熱された炭酸ガス２３および気体酸素２４が導入されて炭酸ガス雰囲気中酸素燃焼が行われる。
【００１７】
発生した燃焼ガスの炭酸ガスと水蒸気はガスタービンを駆動後に排熱回収ボイラーで冷却された後に炭酸ガス１５として液化プラント４に導かれる。排熱回収ボイラーあるいはボイラーで発生した蒸気は、分岐して水蒸気タービンに導かれるものと低沸点媒体電力・冷熱プラント２に導かれるものがあり、水蒸気タービンに導かれたものはこれを駆動し、同軸に結合された発電機で発電を行う。
【００１８】
ボイラーで発生し分岐された蒸気および水蒸気タービンの排気からなる水蒸気１０は、低沸点媒体電力・冷熱プラント２の加熱器に導かれて熱交換を行って復水する。復水２８は発電プラント１の循環ポンプ入口に戻される。発電プラント１で発電された電気１３は、水電解プラント３に導かれる。
【００１９】
低沸点媒体電力・冷熱プラント２は、加熱器、分離器、混合媒体タービン、発電機、復液器、熱交換器、断熱膨張装置、加圧ポンプ等で構成され、作動媒体として水・アンモニア混合媒体が用いられる。
【００２０】
加圧ポンプで加圧された混合媒体が加熱器に導かれ、発電プラント１からの水蒸気１０と熱交換を行なって分離器に導かれ、高濃度混合媒体蒸気と低濃度混合媒体液に分離される。高濃度混合媒体蒸気は分岐されて混合媒体タービンに導かれてこれを駆動して同軸に結合された発電機で発電を行う。混合媒体タービンの排気は復液器に導かれ、海洋深層水２２が流れる熱交換部で熱交換をして復液する。
【００２１】
分岐された残りの高濃度混合媒体蒸気は熱交換器に導かれ海洋深層水２２が流れる熱交換部で熱交換をして冷却されて復液し、断熱膨張装置に導かれて断熱膨張を行い、冷媒を生成する。この冷媒１１は液化プラント４に導かれて熱交換器で熱交換を行って混合媒体蒸気２９となって低沸点媒体電力・冷熱プラント２の復液器に導かれ、海洋深層水２２が流れる熱交換部で熱交換をして復液する。　発電された電気１４は水電解プラント３に導かれる。復液器で熱交換を行って加熱された海洋深層水２５は、養殖施設９に導かれる。
【００２２】
水電解プラント３は、アルカリ水電解法や固体高分子型水電解法を用いる水の電解施設である。発電プラント１および低沸点媒体電力・冷熱プラント２から送られた交流電気１３，１４を直流に整流し、淡水１６を電気分解する。電気分解によって得られた酸素１７と水素１８を液化プラント４に移送する。淡水１６は、発電プラント１より液化プラント４に送られる炭酸ガス１５より水分を除去した時に得られる淡水を用いてもよい。
【００２３】
液化プラント４は、コンプレッサ、精製装置、熱交換器、膨張弁、中圧精留塔、低圧精留塔、過冷却器等で構成される。発電プラント１からの炭酸ガス１５および水電解プラント３からの酸素１７と水素１８は、低沸点媒体電力・冷熱プラント２からの冷媒１１が流れる熱交換部で冷却され、除湿を行った後でコンプレッサに導かれる。
【００２４】
加圧された炭酸ガスと酸素と水素の混合ガスは熱交換器に導かれて、低沸点媒体電力・冷熱プラント２からの冷媒１１が流れる熱交換部で冷却され、膨張弁を経由して、酸素と水素は中圧精留塔、過冷却器、低圧精留塔を経由して液体酸素と液体窒素温度（−１９６℃）程度の水素になる。また、膨張弁で断熱膨張をして液化した液体炭酸ガスが生成される。水素１９は、水素貯蔵施設５に移送され、液体酸素２０は液体酸素貯蔵施設６に移送され、液体炭酸ガス２１は液体炭酸ガス貯蔵施設７に移送される。
【００２５】
水素貯蔵施設５は、活性炭、フラーレン、カーボンナノチューブ、カーボンナノホーン等の多孔性炭素質材料の表面に水素分子を水素原子に分離させる機能を有する金属もしくは合金の被膜を塗布し、−１９６℃で３０気圧以上にして水素を吸蔵させる水素吸蔵材を収納する容器に水素を充填する設備が設けられている。−１９６℃で３０気圧以上にして水素を吸蔵した水素吸蔵材を充填した容器を輸送船２７で消費地に設けられた水素・酸素消費システム４１の水素貯蔵施設８に移送し、帰りの船で水素貯蔵施設８より空の容器を水素貯蔵施設５に移送する。
【００２６】
水素貯蔵施設８では、−１９６℃で３０気圧以上にして水素を吸蔵した水素吸蔵材を充填した容器より、ランタン・ニッケル合金、鉄・チタン合金などが使用された水素吸蔵合金１モル当たり２０℃で３気圧の水素約３モルを吸蔵させ、水素自動車の水素燃料として供給する。水素自動車では８０℃に加熱すると約１７気圧の水素が取り出せる。
【００２７】
液体酸素貯蔵施設６に貯蔵された酸素は、ポンプで加圧した後で冷熱を回収して加熱し、酸素ガス２４として発電プラント１の燃焼器に送って炭酸ガス雰囲気中酸素燃焼に用いる。熱回収を行った酸素ガス２４は養殖施設９にも供給される。また、液体酸素を船４２で水素・酸素消費システム４１の火力発電プラント４３に輸送し、炭酸ガス雰囲気中酸素燃焼に利用する。火力発電プラント４３で発生した炭酸ガスは１００％回収して液化し、船４４で水素・酸素供給システム４０の液体炭酸ガス貯蔵施設７に輸送する。船４２と船４４を同一のものとし液体酸素輸送容器を液体炭酸ガス輸送容器に兼用してもよい。
【００２８】
液体炭酸ガス貯蔵施設７では、液体炭酸ガスをポンプで加圧した後で冷熱を回収して加熱し、炭酸ガス２３として発電プラント１の燃焼器に送り、炭酸ガス雰囲気中酸素燃焼の不活性ガスとして用いる。液体炭酸ガス４５は、離島の周辺海域に設けた二酸化炭素処理部４６で水深４４０ｍ以深の深海まで配管で輸送し、海中に放出する。液体炭酸ガス４５の輸送配管は、その先端が水深４４０ｍ以深に開口し、内圧を４４気圧以上として海洋深層水を３０％以上混ぜてハイドレート化したものを含む状態で海中に放出する。
【００２９】
養殖施設９には、低沸点媒体電力・冷熱プラント２の復液器で熱交換を行って加温された海洋深層水２５が導かれ、また液体酸素から冷熱を回収した酸素ガス２４がひらめ、アワビ等の養殖槽に注入されて養殖に用いられる。残滓等を取り除いた海洋深層水２６を沿岸海域４７に放流し、海域肥沃化に用いる。
【００３０】
この第１の実施の形態のエネルギーシステムは下記のように動作する。すなわち、化石燃料・ゴミ・バイオマス等の有機物系の燃料１２をガス化したり、そのまま燃焼させる水素・酸素供給システム４０の発電プラント１の水蒸気タービンよりの４０℃〜５０℃の排気水蒸気１０を、水・アンモニア混合媒体を作動媒体とする低沸点媒体電力・冷熱プラント２の加熱器に導いて高濃度の混合媒体蒸気を生成し、混合媒体タービンに導いてこれを駆動し同軸に結合された発電機で発電を行う。この時、混合媒体タービンの排気を８℃程度の低温の海洋深層水２２で冷却して混合媒体タービン出口背圧を下げることにより混合媒体タービン駆動力を向上させて発電量を向上させる。
【００３１】
発電プラント１および低沸点媒体電力・冷熱プラント２で発電した電気１３，１４を水電解プラント３に導いて淡水１６の電気分解を行って水素と酸素を製造する。製造された水素と酸素、および発電プラント１の炭酸ガス雰囲気中酸素燃焼で発生し１００％回収した炭酸ガス１５を液化プラント４に導いて、低沸点媒体電力・冷熱プラント２で生成した冷媒１１を利用して液体酸素と液体炭酸ガスを製造して液体酸素貯蔵施設６と液体炭酸ガス貯蔵施設７に貯蔵する。
【００３２】
水素は液体窒素温度（−１９６℃）程度にして３０気圧以上に加圧して、カーボンナノチューブ、カーボンナノホーン等の多孔性炭素材料の水素吸蔵材に吸着させて水素貯蔵施設５に貯蔵し、水素を吸着させた水素吸蔵材を専用の輸送船２７で水素・酸素消費システム４１の水素貯蔵施設８に輸送して貯蔵する。水素貯蔵施設８では２０℃、３気圧で多孔性炭素材料の水素吸蔵材からランタン・ニッケル合金等の水素吸蔵合金に水素吸蔵の移し替えを行い、このランタン・ニッケル合金等の水素吸蔵合金を自動車に搭載して水素自動車に燃料供給する。
【００３３】
液体酸素貯蔵施設６に貯蔵された液体酸素は船４２で水素・酸素消費システム４１の火力発電プラント４３に輸送し、炭酸ガス雰囲気中酸素燃焼を行うのに用い、その排ガスより炭酸ガスを１００％回収して液化を行い、船４４で水素・酸素供給システム４０の液体炭酸ガス貯蔵施設７へ輸送する。船４２と船４４は同一のものを使用し、液体酸素輸送容器と液体炭酸ガス輸送容器は兼用する。
【００３４】
液体炭酸ガス貯蔵施設７より液体炭酸ガスを離島周辺に設けた二酸化炭素処理部４６の水深４４０ｍ以深まで配管で導いて海中に液体炭酸ガスを放出する。配管内を輸送する圧力は４４気圧以上とし、海洋深層水を３０％以上混合して液体炭酸ガスを一部ハイドレート化したものを直径１０ｍｍ程度の液泡として海中に放出する。放出された液泡は海底に向かって沈降する。
【００３５】
また、低沸点媒体電力・冷熱プラント２に設けられた混合媒体タービンの排気を冷却した海洋深層水２５の排出温度が、ひらめ、あわび等の適水温になるようにして養殖施設９に供給する。海洋深層水２５の排出温度を高くすると低沸点媒体電力・冷熱プラント２の発電量が減少するため、養殖効率と発電効率のトータルで最大効率になるように調整する。
【００３６】
この第１の実施の形態のエネルギーシステムは下記のような効果を生じる。すなわち、琉球諸島や伊豆・小笠原諸島は、低温度の海洋深層水を取水するための適地であるが発電需要がない。このような所に設けられた水素・酸素供給システム４０に有機物系の燃料１２を燃焼させる発電プラント１を設置し、そのボトミングサイクルとして低沸点媒体電力・冷熱プラント２を設置し、低温度の海洋深層水２２で低沸点媒体電力・冷熱プラント２の復液器の冷却を行って総合発電効率を最大にすることができる。
【００３７】
また、発電された電気で水の電気分解を行って酸素と水素を製造し、酸素は液化し貯蔵して前記発電プラント１での炭酸ガス雰囲気中酸素燃焼に用いたり、船４２で水素・酸素消費システム４１の火力発電プラント４３に輸送して炭酸ガス雰囲気中酸素燃焼に用い、ここで発生する炭酸ガスを１００％回収して液化して船で再び水素・酸素供給システム４０の液体炭酸ガス貯蔵施設７まで同じ船と輸送容器で輸送し、液体炭酸ガスをハイドレート化して二酸化炭素処理部４６の水深４４０ｍ以深の海中に放出して炭酸ガスの貯蔵処理を行うことができる。
【００３８】
また、低沸点媒体電力・冷熱プラント２で生成された冷媒１１で水素を−１９６℃程度に冷却し、水素吸蔵材に吸蔵させて水素・酸素消費システム４１に専用船で輸送して水素自動車に用いることができる。冷媒１１は液体酸素と液体炭酸ガスを生成するのにも用い、低沸点媒体電力・冷熱プラント２の復液器の冷却に用いて加温された海洋深層水２５をヒラメやアワビの養殖に用いることができる。
【００３９】
このようにして、自動車等の動力源として環境への炭酸ガス放出の無い水素が効率良く製造でき、１００％回収した炭酸ガスをハイドレート化して深海に貯蔵することで大気中への炭酸ガスの排出が無く、低温の海洋深層水を加温して養殖の適水温として効率良く水産物を養殖することができる。
【００４０】
また、豊富に存在する石炭等の有機物系の燃料を炭酸ガス雰囲気中酸素燃焼させて発電し、その排熱を海洋深層水の昇温に用いることで炭酸ガスを容易に１００％回収し、回収した炭酸ガスは深海に貯蔵できるため貯蔵の問題を発生することがない。
【００４１】
さらに、離島で酸素を製造し、消費地に送って炭酸ガス雰囲気中燃焼の火力発電を行い、容易に１００％回収ができる炭酸ガスを液化して離島に送ることで、液体酸素と液体炭酸ガスの輸送船と輸送容器を共有化することができるため、設備の高稼働率が得られる。
【００４２】
つぎに本発明の第２の実施の形態のエネルギーシステムを図２を参照して説明する。すなわちこの実施の形態のエネルギーシステムは、発電プラント１ａと低沸点媒体電力・冷熱プラント２と水電解プラント３と液化プラント４と水素貯蔵施設５と液体酸素貯蔵施設６と液体炭酸ガス貯蔵施設７と養殖施設９を備え離島のような人口の密集していない場所に設けられた水素・酸素供給システム４０と、水素貯蔵施設８と火力発電プラント４３を備え消費地に設けられた水素・酸素消費システム４１と、この水素・酸素消費システム４１および前記水素・酸素供給システム４０において発生した二酸化炭素を深海に放出する二酸化炭素処理部４６とからなる。
【００４３】
発電プラント１ａは原子力発電プラント、地熱発電プラント、温泉水発電プラント、太陽熱発電プラント等であり、ウラン、地熱、温泉水、太陽熱等の加熱源３０が発電プラント１ａに供給される。これ等の加熱源３０は炭酸ガス雰囲気中酸素燃焼を行う必要がないために、図１に示した第１の実施の形態と比較すると、加熱・加圧された炭酸ガス２３および酸素ガス２４の発電プラント１ａへの供給系と、燃焼で発生する炭酸ガス・水蒸気等の炭酸ガス１５の回収系と、液化プラント４における炭酸ガスの液化系を備えていない。そのほかの構成は第１の実施の形態におけると同じである。
【００４４】
この第２の実施の形態のエネルギーシステムは下記のように動作する。すなわち、水素・酸素供給システム４０の発電プラント１ａには加熱源３０からウラン、地熱、温泉水、太陽熱等が供給され、発電プラント１ａの水蒸気タービンよりの４０℃〜５０℃の排気水蒸気１０を、水・アンモニア混合媒体を作動媒体とする低沸点媒体電力・冷熱プラント２の加熱器に導いて高濃度の混合媒体蒸気を生成し、混合媒体タービンに導いてこれを駆動し同軸に結合された発電機で発電を行う。この時、混合媒体タービンの排気を８℃程度の低温の海洋深層水２２で冷却して混合媒体タービン出口背圧を下げることにより混合媒体タービン駆動力を向上させて発電量を向上させる。
【００４５】
発電プラント１および低沸点媒体電力・冷熱プラント２で発電した電気１３，１４を水電解プラント３に導いて淡水１６の電気分解を行って水素と酸素を製造する。製造された水素１８と酸素１７を液化プラント４に導いて、低沸点媒体電力・冷熱プラント２で生成した冷媒１１を利用して液体酸素を製造して液体酸素貯蔵施設６に貯蔵する。
【００４６】
水素は液体窒素温度（−１９６℃）程度にして３０気圧以上に加圧して、カーボンナノチューブ、カーボンナノホーン等の多孔性炭素材料の水素吸蔵材に吸着させて水素貯蔵施設５に貯蔵し、水素を吸着させた水素吸蔵材を専用の輸送船２７で水素・酸素消費システム４１の水素貯蔵施設８に輸送して貯蔵する。水素貯蔵施設８では２０℃、３気圧で多孔性炭素材料の水素吸蔵材からランタン・ニッケル合金等の水素吸蔵合金に水素吸蔵の移し替えを行い、このランタン・ニッケル合金等の水素吸蔵合金を自動車に搭載して水素自動車に燃料供給する。
【００４７】
液体酸素貯蔵施設６に貯蔵された液体酸素は船４２で水素・酸素消費システム４１の火力発電プラント４３に輸送し、炭酸ガス雰囲気中酸素燃焼を行うのに用い、その排ガスより炭酸ガスを１００％回収して液化を行い、船４４で水素・酸素供給システム４０の液体炭酸ガス貯蔵施設７へ輸送する。船４２と船４４は同一のものを使用し、液体酸素輸送容器と液体炭酸ガス輸送容器は兼用する。
【００４８】
液体炭酸ガス貯蔵施設７より液体炭酸ガスを離島周辺に設けた二酸化炭素処理部４６の水深４４０ｍ以深まで配管で導いて海中に液体炭酸ガスを放出する。配管内を輸送する圧力は４４気圧以上とし、海洋深層水を３０％以上混合して液体炭酸ガスを一部ハイドレート化したものを直径１０ｍｍ程度の液泡として海中に放出する。放出された液泡は海底に向かって沈降する。
【００４９】
また、低沸点媒体電力・冷熱プラント２に設けられた混合媒体タービンの排気を冷却した海洋深層水２５の排出温度が、ひらめ、あわび等の適水温になるようにして養殖施設９に供給する。海洋深層水２５の排出温度を高くすると低沸点媒体電力・冷熱プラント２の発電量が減少するため、養殖効率と発電効率のトータルで最大効率になるように調整する。
【００５０】
この第２の実施の形態のエネルギーシステムは下記のような効果を生じる。すなわち、琉球諸島や伊豆・小笠原諸島は、低温度の海洋深層水を取水するための適地であるが発電需要がない。このような所に設けられた水素・酸素供給システム４０にウラン、地熱、温泉水、太陽熱等の酸素燃焼を要しない加熱源３０を熱源とする発電プラント１ａを設置し、そのボトミングサイクルとして低沸点媒体電力・冷熱プラント２を設置し、低温度の海洋深層水２２で低沸点媒体電力・冷熱プラント２の復液器の冷却を行って発電量を増大することができる。
【００５１】
また、発電された電気で水の電気分解を行って酸素と水素を製造し、酸素は液化し貯蔵して船４２で水素・酸素消費システム４１の火力発電プラント４３に輸送して炭酸ガス雰囲気中酸素燃焼に用い、ここで発生する炭酸ガスを１００％回収して液化して船で再び水素・酸素供給システム４０の液体炭酸ガス貯蔵施設７まで同じ船と輸送容器で輸送し、液体炭酸ガスをハイドレート化して二酸化炭素処理部４６の水深４４０ｍ以深の海中に放出して炭酸ガスの貯蔵処理を行うことができる。
【００５２】
また、低沸点媒体電力・冷熱プラント２で生成された冷媒１１で水素を−１９６℃程度に冷却して水素吸蔵材に吸蔵させて水素・酸素消費システム４１に専用船で輸送して水素自動車に用いることができる。冷媒１１は液体酸素と液体炭酸ガスを生成するのにも用い、低沸点媒体電力・冷熱プラント２の復液器の冷却に用いて加温された海洋深層水２５をヒラメやアワビの養殖に用いることができる。
【００５３】
このようにして、自動車等の動力源として環境への炭酸ガス放出の無い水素が効率良く製造でき、１００％回収した炭酸ガスをハイドレート化して深海に貯蔵することで大気中への炭酸ガスの排出が無く、低温の海洋深層水を加温して養殖の適水温として効率良く水産物を養殖することができる。
【００５４】
また、豊富に存在する石炭等を火力発電プラント４３において炭酸ガス雰囲気中酸素燃焼させて発電し、炭酸ガスを容易に１００％回収し、回収した炭酸ガスは深海に貯蔵できるため貯蔵の問題を発生することがない。さらに、離島で酸素を製造し、消費地に送って炭酸ガス雰囲気中燃焼の火力発電を行い、容易に１００％回収ができる炭酸ガスを液化して離島に送ることで、液体酸素と液体炭酸ガスの輸送船と輸送容器を共有化することができるため、設備の高稼働率が得られる。
【００５５】
このように、この発明の第２の実施の形態によれば、発電し、水素と酸素を製造し貯蔵し供給し、熱効率が高く、発生する炭酸ガスをほぼ１００％回収し、回収した炭酸ガスを環境に影響しない方法で貯蔵処理することができるエネルギーシステムを提供することができるとともに、第１の実施の形態と比べて設備費が低減され、システム構成が簡素であるのでシステムの信頼性も向上する。
【００５６】
つぎに本発明の第３の実施の形態のエネルギーシステムを図３を参照して説明する。すなわちこの実施の形態のエネルギーシステムは、低沸点媒体電力・冷熱プラント２ａと水電解プラント３と液化プラント４と水素貯蔵施設５と液体酸素貯蔵施設６と液体炭酸ガス貯蔵施設７と養殖施設９を備え離島のような人口の密集していない場所に設けられた水素・酸素供給システム４０と、水素貯蔵施設８と火力発電プラント４３を備え消費地に設けられた水素・酸素消費システム４１と、この水素・酸素消費システム４１および前記水素・酸素供給システム４０において発生した二酸化炭素を深海に放出する二酸化炭素処理部４６とからなる。
【００５７】
低沸点媒体電力・冷熱システムプラント２ａの低沸点媒体の加熱器がボイラになっていて、化石燃料、ゴミ、バイオマス等の有機物系の燃料１２がボイラに供給され、炭酸ガス雰囲気中燃焼を行ってアンモニア水溶液等の低沸点媒体を加熱する構成になっている。そのほかの液化プラント４等の構成は第１の実施の形態におけると同じである。
【００５８】
このような構成によって、低沸点媒体電力・冷熱システム２ａのボイラに化石燃料、ゴミ、バイオマス等の有機物系の燃料１２を供給し、炭酸ガス雰囲気中燃焼を行って低沸点媒体を加熱し、高濃度低沸点媒体蒸気と低濃度低沸点媒体液に分離し、高濃度低沸点媒体蒸気でタービンを駆動して発電し、また、高濃度低沸点媒体を冷却して液化し断熱膨張を行って冷媒を生成する。すなわち、この第３の実施の形態のエネルギーシステムにおける低沸点媒体電力・冷熱システム２ａは、第１の実施の形態のエネルギーシステムにおける発電プラント１と低沸点媒体電力・冷熱プラント２を合わせた動作を行う。そのほかの液化プラント４等の動作は第１の実施の形態におけると同じである。
【００５９】
この第３の実施の形態のエネルギーシステムによれば、化石燃料、ゴミ、バイオマス等の燃焼で得られる高温度から海洋深層水の低温度までの温度範囲の熱回収をするのに水蒸気サイクルによらず低沸点媒体サイクルのみで行うので、必要な機器が少なくてすみ、建設費が安い。また、システム構成が簡素であるためにシステムの信頼性が高い。
【００６０】
つぎに本発明の第４の実施の形態のエネルギーシステムを図４を参照して説明する。すなわちこの実施の形態のエネルギーシステムは、低沸点媒体電力・冷熱プラント２ｂと水電解プラント３と液化プラント４と水素貯蔵施設５と液体酸素貯蔵施設６と液体炭酸ガス貯蔵施設７と養殖施設９を備え離島のような人口の密集していない場所に設けられた水素・酸素供給システム４０と、水素貯蔵施設８と火力発電プラント４３を備え消費地に設けられた水素・酸素消費システム４１と、この水素・酸素消費システム４１および前記水素・酸素供給システム４０において発生した二酸化炭素を深海に放出する二酸化炭素処理部４６とからなる。
【００６１】
低沸点媒体電力・冷熱システム２ｂは、第２の実施の形態（図２）における発電プラント１ａと低沸点媒体電力・冷熱プラント２とを一体化した構成を有する。
そのほかの構成は第２の実施の形態におけると同じである。
【００６２】
この第４の実施の形態のエネルギーシステムにおいては、低沸点媒体電力・冷熱システム２ｂに備えられた加熱器をウラン、地熱、温泉水、太陽熱等の酸素燃焼を要しない加熱源３０で加熱し、低沸点媒体を高濃度低沸点媒体蒸気と低濃度低沸点媒体液に分離し、高濃度低沸点媒体蒸気でタービンを駆動して発電し、高濃度低沸点媒体を冷却して液化し、断熱膨張を行って冷媒を生成する。そのほかの動作は第２の実施の形態におけると同じである。
【００６３】
この第４の実施の形態のエネルギーシステムでは第２の実施の形態と同様の効果が得られ、さらに、ウラン燃料、地熱、温泉水、太陽熱等との熱交換で得られる高温度から海洋深層水の低温度までの温度範囲の熱回収をするのに水蒸気サイクルによらずに低沸点媒体サイクルのみで行うので、必要な機器が少なくてすみ、建設費が安い。また、システム構成が簡素であるためにシステムの信頼性が高い。
【００６４】
つぎに本発明の第５の実施の形態のエネルギーシステムを図５を参照して説明する。すなわち本実施の形態のエネルギーシステムは、発電プラント１と低沸点媒体電力・冷熱プラント２と水電解プラント３と液化プラント４と水素貯蔵施設５と液体酸素貯蔵施設６と液体炭酸ガス貯蔵施設７と養殖施設９と凍結分離プラント３４とミネラル分離プラント３６を備え離島のような人口の密集していない場所に設けられた水素・酸素供給システム４０と、水素貯蔵施設８と火力発電プラント４３を備え消費地に設けられた水素・酸素消費システム４１と、この水素・酸素消費システム４１および前記水素・酸素供給システム４０において発生した二酸化炭素を深海に放出する二酸化炭素処理部４６とからなる。
【００６５】
凍結分離プラント３４は、過冷却器、過冷却解除槽、氷貯蔵槽、淡水製造器等で構成されている。低沸点媒体電力・冷熱プラント２からの冷媒３８を過冷却器の熱交換部に導いて海洋深層水３３を過冷却状態にする。冷媒３８は低沸点媒体蒸気３９の状態で低沸点媒体電力・冷熱プラント２の復液器に戻される。過冷却状態の海洋深層水は過冷却解除槽に導かれ、衝撃などを与えて過冷却状態を解除して氷を生成し、氷と濃縮海水に分離される。氷は氷貯蔵槽に貯蔵され、貯蔵された氷は低沸点媒体蒸気３９や海洋深層水と熱交換を行って解凍されて淡水３７となって水電解プラント３に導かれる分離された濃縮海水３５はミネラル分離プラント３６に導かれる構成である。
【００６６】
ミネラル分離プラント３６には選択的にミネラル成分を分離する電気式脱イオン水製造装置が設置されていて、塩化ナトリウム、硫酸イオン、その他ミネラル成分に分離する構成になっている。そのほかの発電プラント１、液化プラント４等の構成は第１の実施の形態（図１）におけると同じである。
【００６７】
この第５の実施の形態のエネルギーシステムにおいては、低沸点媒体電力・冷熱プラント２からの冷媒３８を凍結分離プラント３４の過冷却器の熱交換部に導いて海洋深層水３３を過冷却状態にし、過冷却状態の海洋深層水を過冷却解除槽に導き、衝撃などを与えて過冷却状態を解除して氷を生成し、氷と濃縮海水に分離する。氷は氷貯蔵槽に貯蔵し、水電解プラント３で淡水が必要になると貯蔵した氷を低沸点媒体蒸気３９や海洋深層水と熱交換を行って解凍して淡水３７にして水電解プラント３に供給する。凍結分離された濃縮海水３５はミネラル分離プラント３６に導き、選択的にミネラル成分を分離する電気式脱イオン水製造装置で塩化ナトリウム、硫酸イオン、その他ミネラル成分に分離する。そのほかの動作は第１の実施の形態におけると同じである。
【００６８】
この第５の実施の形態のエネルギーシステムによれば、第１の実施の形態のエネルギーシステムと同様の効果が得られ、更に、低温の海洋深層水より淡水を凍結法で製造することにより、発電プラント１の排熱の多段階熱利用を行うことができ、熱利用効率を向上させることができる。また、熱エネルギーを氷潜熱の形で貯蔵することにより発電需要に変動があっても発電プラント１を一定条件で運転することが可能となりエネルギー利用効率を向上させることができる。さらに、凍結分離法で海洋深層水より得られた氷は、魚の輸送に用いることができ、また濃縮海水からは安価かつ大量に食塩とミネラル成分を分離することができる。
【００６９】
つぎに本発明の第６の実施の形態のエネルギーシステムを図６を参照して説明する。すなわち本実施の形態のエネルギーシステムは、発電プラント１ａと低沸点媒体電力・冷熱プラント２と水電解プラント３と液化プラント４と水素貯蔵施設５と液体酸素貯蔵施設６と液体炭酸ガス貯蔵施設７と養殖施設９と凍結分離プラント３４とミネラル分離プラント３６を備え離島のような人口の密集していない場所に設けられた水素・酸素供給システム４０と、水素貯蔵施設８と火力発電プラント４３を備え消費地に設けられた水素・酸素消費システム４１と、この水素・酸素消費システム４１および前記水素・酸素供給システム４０において発生した二酸化炭素を深海に放出する二酸化炭素処理部４６とからなる。
【００７０】
凍結分離プラント３４およびミネラル分離プラント３６の構成および動作は第５の実施の形態（図５）におけると同じであり、そのほかの発電プラント１ａ、液化プラント４等の構成および動作は第２の実施の形態（図２）におけると同じである。
【００７１】
この第６の実施の形態のエネルギーシステムによれば、第２の実施の形態のエネルギーシステムと同様の効果が得られ、更に、低温の海洋深層水より淡水を凍結法で製造することにより、発電プラント１ａの排熱の多段階熱利用を行うことができ、熱利用効率を向上させることができる。また、熱エネルギーを氷潜熱の形で貯蔵することにより発電需要に変動があっても発電プラント１ａを一定条件で運転することが可能となりエネルギー利用効率を向上させることができる。さらに、凍結分離法で海洋深層水より得られた氷は、魚の輸送に用いることができ、また濃縮海水からは安価に大量に食塩とミネラル成分を分離することができる。
【００７２】
つぎに本発明の第７の実施の形態のエネルギーシステムを図７を参照して説明する。すなわち本実施の形態のエネルギーシステムは、低沸点媒体電力・冷熱プラント２ａと水電解プラント３と液化プラント４と水素貯蔵施設５と液体酸素貯蔵施設６と液体炭酸ガス貯蔵施設７と養殖施設９と凍結分離プラント３４とミネラル分離プラント３６を備え離島のような人口の密集していない場所に設けられた水素・酸素供給システム４０と、水素貯蔵施設８と火力発電プラント４３を備え消費地に設けられた水素・酸素消費システム４１と、この水素・酸素消費システム４１および前記水素・酸素供給システム４０において発生した二酸化炭素を深海に放出する二酸化炭素処理部４６とからなる。
【００７３】
凍結分離プラント３４およびミネラル分離プラント３６の構成および動作は第５の実施の形態（図５）におけると同じであり、そのほかの低沸点媒体電力・冷熱プラント２ａ、液化プラント４等の構成および動作は第３の実施の形態（図３）におけると同じである。
【００７４】
この第７の実施の形態のエネルギーシステムによれば、第３の実施の形態のエネルギーシステムと同様の効果が得られ、更に、低温の海洋深層水より淡水を凍結法で製造することにより、低沸点媒体電力・冷熱プラント２ａの排熱の多段階熱利用を行うことができ、熱利用効率を向上させることができる。熱エネルギーを氷潜熱の形で貯蔵することにより発電需要に変動があっても低沸点媒体電力・冷熱プラント２ａを一定条件で運転することが可能となりエネルギー利用効率を向上させることができる。凍結分離法で海洋深層水より得られた氷は、魚の輸送に用いることができ、また濃縮海水からは安価に大量に食塩とミネラル成分を分離することができる。
【００７５】
つぎに本発明の第８の実施の形態のエネルギーシステムを図８を参照して説明する。すなわち本実施の形態のエネルギーシステムは、低沸点媒体電力・冷熱プラント２ｂと水電解プラント３と液化プラント４と水素貯蔵施設５と液体酸素貯蔵施設６と液体炭酸ガス貯蔵施設７と養殖施設９と凍結分離プラント３４とミネラル分離プラント３６を備え離島のような人口の密集していない場所に設けられた水素・酸素供給システム４０と、水素貯蔵施設８と火力発電プラント４３を備え消費地に設けられた水素・酸素消費システム４１と、この水素・酸素消費システム４１および前記水素・酸素供給システム４０において発生した二酸化炭素を深海に放出する二酸化炭素処理部４６とからなる。
【００７６】
凍結分離プラント３４およびミネラル分離プラント３６の構成および動作は第５の実施の形態（図５）におけると同じであり、そのほかの低沸点媒体電力・冷熱プラント２ｂ、液化プラント等の構成および動作は第４の実施の形態（図４）におけると同じである。
【００７７】
この第８の実施の形態のエネルギーシステムによれば、第４の実施の形態のエネルギ−システムと同様の効果が得られ、更に、低温の海洋深層水より淡水を凍結法で製造することにより、低沸点媒体電力・冷熱プラント２ｂの排熱の多段階熱利用を行うことができ、熱利用効率を向上させることができる。熱エネルギーを氷潜熱の形で貯蔵することにより発電需要に変動があっても低沸点媒体電力・冷熱プラント２ｂを一定条件で運転することが可能となりエネルギー利用効率を向上させることができる。凍結分離法で海洋深層水より得られた氷は、魚の輸送に用いることができ、また濃縮海水からは安価に大量に食塩とミネラル成分を分離することができる。
【００７８】
【発明の効果】
本発明によれば、有機物系の燃料や原子力等によって発電し、水素と酸素を製造し貯蔵し供給し、熱効率が高く、発生する炭酸ガスをほぼ１００％回収し、回収した炭酸ガスを環境に影響しない方法で処理することができるエネルギーシステムを提供することができる。
【図面の簡単な説明】
【図１】本発明の第１の実施の形態のエネルギーシステムの構成および動作を示す図。
【図２】本発明の第２の実施の形態のエネルギーシステムを示す図。
【図３】本発明の第３の実施の形態のエネルギーシステムを示す図。
【図４】本発明の第４の実施の形態のエネルギーシステムを示す図。
【図５】本発明の第５の実施の形態のエネルギーシステムを示す図。
【図６】本発明の第６の実施の形態のエネルギーシステムを示す図。
【図７】本発明の第７の実施の形態のエネルギーシステムを示す図。
【図８】本発明の第８の実施の形態のエネルギーシステムを示す図。
【符号の説明】
１，１ａ…発電プラント、２，２ａ，２ｂ…低沸点媒体電力・冷熱プラント、３…水電解プラント、４…液化プラント、５…水素貯蔵施設、６…液体酸素貯蔵施設、７…液体炭酸カ゛ス貯蔵施設、８…水素貯蔵施設、９…養殖施設、１０…水蒸気、１１…冷媒、１２…燃料、１３…電気、１４…電気、１５…炭酸ガス、１６…淡水、１７…酸素、１８…水素、１９…水素、２０…液体酸素、２１…液体炭酸ガス、２２…海洋深層水、２３…炭酸ガス、２４…酸素ガス、２５…海洋深層水、２６…海洋深層水、２７…輸送船、２８…復水、２９…混合媒体蒸気、３０…加熱源、３３…海洋深層水、３４…凍結分離プラント、３５…濃縮海水、３６…ミネラル分離プラント、３７…淡水、３８…冷媒、３９…低沸点媒体蒸気、４０…水素・酸素供給システム、４１…水素・酸素消費システム、４２…船、４３…火力発電プラント、４４…船、４５…液体炭酸ガス、４６…二酸化炭素処理部、４７…沿岸海域。
【図１】
2004041967.tif 000003
【図２】
2004041967.tif 000004
【図３】
2004041967.tif 000005
【図４】
2004041967.tif 000006
【図５】
2004041967.tif 000007
【図６】
2004041967.tif 000008
【図７】
2004041967.tif 000009
【図８】
2004041967.tif 000010